(57)【要約】  変形が自由な多用途キャリーバッグに関する発明が開示される。開示されている変形が自由な多用途キャリーバッグは、室内外はもちろん、場所の大きさに関係なく、キャリーの形態で便利に移動して、椅子を持つテーブルに変形して使用できるようにすると共に、必要に応じて既に内蔵されている電子機器の構成品を外部に露出させて、ＴＶ視聴、コンピュータ、ゲーム、あるいはカラオケの形態の様々な娯楽を楽しむようにすることはもちろん、ビジネス業務も行うことができるようにして、娯楽と業務を全て汎用的に実行できるようにしたものである。【選択図】図１
2021532963.tif 000002
【特許請求の範囲】
【請求項１】
様々な構成品の収納空間を提供し、蓋と共に相互分離できるように重畳状態で結合する長方形の第１、第２収納箱体からなるキャリーバッグ本体、及び
前記キャリーバッグ本体に設けられた取っ手とキャスターを含み、前記第１、第２収納箱体の片側と他側には、それぞれ前記収納空間を形成し、前記第１収納箱体の片側の収納空間には、折り畳み式支持脚と取っ手が共に収納され、前記折り畳み式支持脚は、キャリーバッグ本体を水平に置かれるようにしてテーブルに変形できるように前記第１収納箱体の前記片側の収納空間から展開できるようにし、前記取っ手は、前記第１収納箱体の片側の収納空間から出没するように設けると共に、前記第１収納箱体のいずれかの片側からは補助テーブルを出没するように設けて、且つ前記第２収納箱体のいずれかの片側の収納空間にはテーブル用椅子として活用できるようにする折り畳み式椅子を分離して収納し、前記第１収納箱体と前記第２収納箱体の他側の収納空間のそれぞれには前記構成品を収納し、前記第１収納箱体に分離して結合された前記第２収納箱体を前記第１収納箱体から分離する際に、前記他側の収納空間のそれぞれに位置するように収納された前記構成品を外部に露出させて、前記構成品に相応する用途として使用できるようにし、前記構成品は、第１収納箱体の他側の収納空間に設けられた電源部と電気的に連結され、ゲームのためのジョイスティック、カラオケ用無線マイク、各種携帯電話を載置して充電するためのマルチ充電器が備えられたミニＰＣであり、このミニＰＣは、ブルートゥース（登録商標）スピーカーを載置することができる平板状のＰＣ本体と、このＰＣ本体の後側から折りたたみや広げが可能なように折り畳み式に設けられたモニターと、前記補助テーブルに置かれるキーボード及びマウスとで構成され、
前記構成品の用途による前記第１、第２収納箱体の分離結合によって、前記キャリーバッグ本体を業務又は娯楽用途に相応する様々な形態に変換させて使用できるようにした、変形が自由な多用途キャリーバッグ。
【請求項２】
前記電源部は、前記第１収納箱体の片側の収納空間の外部に露出するように設けられて、外部電源を印加することができるようにした外部コンセントと、前記他側の収納空間の内部に位置し、前記外部コンセントに電気的に連結され、前記ミニＰＣの各構成物に電源を供給することができるようにする内部コンセントとからなり、前記第１収納箱体の後側壁板は、前記電源部の整備のために開けたての形態で開閉可能に構成する、請求項１に記載の変形が自由な多用途キャリーバッグ。
【発明の詳細な説明】
【技術分野】
【０００１】
本発明は、変形を自由にできるようにした多用途キャリーバッグに関し、特に、室内外はもちろん、場所の大きさに関係なく、キャリーの形態で便利に移動して、椅子を持つテーブルに変形して使用できるようにすると共に、必要に応じて既に内蔵されている電子機器の構成品をＴＶ視聴、コンピュータ、ゲーム、又はカラオケの形態に変換して、娯楽機能を発揮させたり、あるいはビジネスを行うことができる業務機能に活用できるようにして、娯楽と業務を全て実現化する汎用性を持たせた変形が自由な多用途キャリーバッグに関する。
【背景技術】
【０００２】
一般に、キャリーバッグは、国内外の旅行、又は個人や会社の業務的な事で出張する時に、移動や使用上の利便性のため多くの人が使用していることは周知の事実である。
【０００３】
しかし、既存のキャリーバッグは、使用者が自分の物品を収納保管した状態で所定の目的地まで安全に保護して移動させる役割のみ行うだけで、他の用途として使用できないという問題がある。
【０００４】
このような問題を改善するために開発したものが下記の特許文献に公表されている。特許文献１は、簡単に携帯できる手提げに本やノート等を載せておくことができる大きい板をバッグの内部に出入り自在に付設させて、バッグの底面には折り畳み式支脚を付着することにより、机のない屋外や講義室などで本を載せておいて読書をしたり、ノートを載せておいて筆記をすることができるようにし、バッグが不安全に倒れる弊害をなくしたことを開示している。
【０００５】
特許文献２は、旅行バッグに関し、片面が開放され、内部に収納空間が形成されるバッグ本体と、前記収納空間を覆うように前記バッグ本体と締結されるバッグの蓋と、前記バッグ本体と前記バッグの蓋との間に配置され、前記バッグ本体と前記バッグの蓋との間の空間の大きさが変化するように長さが可変される支持台と、前記支持台に連結され、前記バッグ本体と前記バッグの蓋との間の空間を分割する分割材とを含み得るということを開示している。
【０００６】
特許文献３は、折り畳み時にはバッグとして使用し、展開状態ではゲームボード（碁盤や将棋盤など）として活用することができるゲームボードが内蔵された多用途バッグに関し、両分体で構成され、蓋が形成された両バッグ本体をヒンジ軸を中心に１８０°上に折り畳みが可能なようにバッグを構成し、片側のバッグ本体の内部には、ゲーム用具を内蔵することができるように仕切りを設けて、同本体の蓋の内側には、四角の係止を突設し、前後に碁盤と将棋盤が図案され、折り畳み可能なゲームボードをゴムバンドを利用して着脱可能にし、両バッグ本体の収蔵室の反対側には、折り畳み脚を収蔵することができるように空間部を設けて、折り畳み脚をピンで流動可能に設けたことを開示している。
【０００７】
しかしながら、前記先行技術は、長期旅行による退屈の解消のための目的で本を読んだり、あるいは場合、あるいは業務上書類を見る場合、これらを支えるためのブックスタンドの用途に使用できるようにしたり（特許文献１）、あるいはバッグに収納される衣類の収納を多くしたり、衣類をしわなく保管するための目的で棚用途（特許文献２）に使用したり、あるいはゲームボードによる遊びだけできるようにしたもの（特許文献）であって、その用途は極めて制限的である。
【０００８】
従って、使用者にバッグという用途に加えて様々な用途に変形し、娯楽と共に業務的に汎用に活用できるようにしたキャリーバッグの開発が切実に求められている。
【先行技術文献】
【特許文献】
【０００９】
【特許文献１】韓国公告実用新案公報第１９８４−０００２５３５号
【特許文献２】韓国公開特許公報第１０−２０１３−００６９２７６号
【特許文献３】韓国公告実用新案公報第１９９２−０００３４１３号
【発明の概要】
【発明が解決しようとする課題】
【００１０】
本発明は、前述した従来技術の問題点を補完し、様々な追加の利点を提供するために開発されたものであって、室内外の場所に大きく拘束されることなく、キャリーの形態で便利に移動して、椅子を持つテーブルに変形して使用できるようにすると共に、必要に応じて既に内蔵されている電子機器の構成品をＴＶ視聴、コンピュータ、ゲーム、あるいはカラオケの様々な娯楽機能や、あるいは業務を自由に行うことができるビジネス機能を全て満たすことができるようにする汎用性を持たせた変形が自由な多用途キャリーバッグを提供することに目的がある。
【課題を解決するための手段】
【００１１】
前記目的は、本発明によって提供される変形が自由な多用途キャリーバッグにより達成される。
【００１２】
本発明の一様相によって提供される変形が自由な多用途キャリーバッグは、様々な構成品の収納空間を提供し、蓋と共に相互分離できるように重畳状態で結合する長方形の第１、第２収納箱体からなるキャリーバッグ本体、及び前記キャリーバッグ本体に設けられた取っ手とキャスターを含み、
【００１３】
前記第１、第２収納箱体の片側と他側には、それぞれ前記収納空間を形成し、前記第１収納箱体の片側の収納空間には、折り畳み式支持脚と取っ手が共に収納され、前記折り畳み式支持脚は、キャリーバッグ本体を水平に置かれるようにしてテーブルに変形できるように前記第１収納箱体の片側の収納空間から展開できるようにした反面、前記取っ手は、前記第１収納箱体の片側の収納空間から出没するように設けると共に、前記第１収納箱体のいずれかの片側からは補助テーブルを出没するように設けて、前記第２収納箱体のいずれかの片側の収納空間にはテーブル用椅子として活用できるようにする折り畳み式椅子を分離して収納し、
【００１４】
前記第１収納箱体と前記第２収納箱体の他側の収納空間のそれぞれには、前記構成品を収納し、前記第１収納箱体に分離して結合された前記第２収納箱体を前記前記第１収納箱体から分離する際に、前記他側の収納空間のそれぞれに位置するように収納された前記構成品を外部に露出させて、前記構成品に相応する用途に使用できるようにし、
【００１５】
前記構成品は、第１収納箱体の他側の収納空間に設けられた電源部と電気的に連結され、ゲームのためのジョイスティック、カラオケ用無線マイク、或いは各種の携帯電話を載置して充電するためのマルチ充電器が備えられたミニＰＣであり、このミニＰＣは、ブルートゥース（登録商標）スピーカーを載置することができる平板状のＰＣ本体と、このＰＣ本体の後側から折りたたみや広げが可能なように折り畳み式に設けられたモニターと、前記補助テーブルに置かれるキーボード及びマウスとで構成され、
【００１６】
前記構成品の用途による前記第１、第２収納箱体の分離結合によって、前記キャリーバッグ本体を業務又は娯楽用途に相応する様々な形態に変換させて使用できるようにしたものである。
【００１７】
別の実施例として、前記電源部は、前記第１収納箱体の片側の収納空間の外部に露出するように設けられて、外部電源を印加することができるようにした外部コンセントと、前記他側の収納空間の内部に位置し、前記外部コンセントに電気的に連結され、前記ミニＰＣの各構成物に電源を供給することができるようにする内部コンセントとからなり、前記第１収納箱体の後側壁板は、前記電源部の整備のために開けたての形態で開閉可能に構成することを特徴とする。
【００１８】
また別の実施例として、前記ミニＰＣには、前記第１収納箱体から分離されるように構成したＡＩスピーカーを備え、前記ＡＩスピーカーは、前記キャスターを美麗に遮る状態で設けられることを特徴とする。
【発明の効果】
【００１９】
本発明によると、室内はもちろん室外でもキャリーの形態で便利に移動し、椅子を持つテーブルに変形して使用できるようにすると共に、いつでもバッグの内部に備えられた電子機器の構成品をＴＶ視聴、コンピュータ、ゲーム、或いはカラオケの形態の様々な娯楽機能や、又は業務を行うことができるビジネス機能に自由に切り換えて使用できるようにする多機能の汎用効果を付与する。
【図面の簡単な説明】
【００２０】
【図１】本発明による変形が自由な多用途キャリーバッグの外観の一例を示した斜視図である。
【図２ａ】図１の左、右側の内部をそれぞれ見せるために示した分離斜視図である。
【図２ｂ】図１の左、右側の内部をそれぞれ見せるために示した分離斜視図である。
【図３】図２ａを矢印「Ａ」の方向から見て示した図である。
【図４】図１で右側部分が下方に位置させた状態をなすようにして、各構成品を全体を分離して示した分離斜視図である。
【図５】図４から「Ｂ」部分のみを分離して内部を示した図である。
【図６】図４のＩ−Ｉ線の方向による断面図である。
【図７】本考案による図１に表示のキャリーバッグをテーブルに変形させた状態を示す図である。
【図８】本考案による図１に表示のキャリーバッグを図５のテーブルからＴＶ視聴、コンピュータ、ゲーム、或いはカラオケの形態の様々な娯楽や業務を行うことができる形態に切り換えたことを示す図である。
【発明を実施するための形態】
【００２１】
本発明は、様々な変形を加え得、様々な実施例を有し得るので、特定の実施例を詳細に説明しようとする。
【００２２】
しかしながら、これは、本発明を特定した実施形態について限定しようとするものではなく、本発明の思想及び技術範囲に含まれる全ての変形、均等物乃至代替物を含むものと理解されるべきである。
【００２３】
また、本発明を説明するにあたって、関連した公知技術に対する具体的な説明が、本発明の要旨を不要にぼやかすことがあると判断される場合、その詳細な説明を省略する。また、後述される用語は、本発明における機能を考慮して定義された用語であって、これは、使用者、運営者の意図又は慣例等に応じて変わり得るので、その定義は、本発明を説明する本明細書の全般にわたった内容に基づいて下されなければならない。
【００２４】
以下、添付された図面を参照として、本発明による変形が自由な多用途キャリーバッグのより好ましい実施例を詳細に説明する。
【００２５】
図１は、本発明による変形が自由な多用途キャリーバッグの外観の一例を示した斜視図である。
【００２６】
図に示すように、本発明による変形が自由な多用途キャリーバッグ１００は、出没式の取っ手１０２とキャスター１０４を有するキャリーバッグ本体１１０を、様々な構成品の収納空間を提供する長方形の第１、第２収納箱体１１２、１１４を複数個の第１、第２蓋１１１、１１３と共に相互分離できるように重畳状態で結合し、構成品の用途による前記第１、第２収納箱体１１２、１１４の分離結合によって、前記キャリーバッグ本体１１０を室内の狭小空間ではもちろん、出張、旅行、引っ越し等の外部のどこでも容易に携帯、移動して、業務又は娯楽用途に相応する様々な形態に変換させて使用できるようにした。
【００２７】
図に示すように、本発明によるキャリーバッグ１００の大きさや形状は、前記第１、第２収納箱体１１２、１１４の大きさと数に応じて、任意に変形可能である。
【００２８】
また、前記キャリーバッグ１００は、外部からの衝撃による破損や亀裂の防止のために、高強度の軽量金属、又は高強度を有すると共に、耐食、耐燃性のプラスチックで構成することができる。
【００２９】
図２（ａ）（ｂ）は、図１の左右側の内部をそれぞれ見せるために示した分離斜視図であり、図３は、図２（ａ）を矢印「Ａ」の方向から見て示した図である。
【００３０】
図に示すように、本発明によるキャリーバッグ１００の第１、第２収納箱体１１２、１１４には、該当構成の物を自由に収納できるようにする多数個の収納空間１１２−１、１１２−２、１１４−１、１１４−２（図５及び図６参照）が両側に２つずついずれか一方のみが開放された状態で形成されている。前記第１、第２収納箱体１１２、１１４の片側の収納空間１１２−１、１１４−１の開放部には、前記第１、第２蓋１１１、１１３が分離可能に結合され、片側の収納空間１１２−１、１１４−１に収納された構成物品が外部に容易に離脱できないように閉鎖している。
【００３１】
前記第１収納箱体１１２の第１蓋１１１によって分離可能に閉鎖される片側の収納空間１１２−１の内部には、折り畳み式支持脚１０１がヒンジ部１０１−１、１０１−２を支持点として折りたたまれるように収納され、必要に応じて前記第１蓋１１１を開放させた状態で支持脚１０１をヒンジ部１０１−１、１０１−２を支持点として垂直に立設される状態で展開されるように回動させて使用できるようにした。収納時にはこれは反対に折りたたまれるように回動させて、図２ａ及び図３の状態で前記片側の収納空間１１２−１の内部には収納すればよい。前記片側の収納空間１１２−１の内部に折り畳み式支持脚１０１を設けたことは、本発明によるキャリーバッグ１００を業務又は娯楽用のテーブルに変換して使用できるようにするためであるが、これに関するものは、以降に図７を参照として説明することとする。
【００３２】
図に示すように、前記第１収納箱体１１２と重畳される状態で分離して結合した前記第２収納箱体１１４で第２蓋１１３により分離可能に閉鎖される片側の収納空間１１４−１には、通常の折り畳み式椅子１０３が容易に引き出せるように収納されている。前記折り畳み式椅子１０３は、前記第１収納箱体１１２の片側の収納空間１１２−１から折り畳み式支持脚１０１を展開し、本発明によるキャリーバッグ１００を業務又は娯楽用のテーブルに変換する際、前記第２収納箱体１１４の片側の収納空間１１４−１から前記第２蓋１１３を開けて引き出せばよいが、前記折り畳み式椅子１０３を引き出した後には、前記第２蓋１１３は、元の状態で閉じて使用することが好ましい。前記折り畳み式椅子１０３は通常のものであるため、本実施例で具体的な説明は省略する。
【００３３】
図に示すように、前記折り畳み式支持脚１０１が展開可能に収納される前記第１収納箱体１１２の前記片側の収納空間１１２−１には、前記取っ手１０２が前記折り畳み式支持脚１０１とは別個に案内バー１０５にスライド可能に収納され、前記片側の収納空間１１２−１から出没するように設けられ、前記折り畳み式支持脚１０１とは使用時に相互干渉がないようにした。
【００３４】
図４は、図１で右側部分が下方に位置させた状態をなすようにして、各構成品を全体を分離して示した分離斜視図であり、図５は、図４から「Ｂ」部分のみを分離して内部を示した図であり、図６は、図４のＩ−Ｉ線の方向による断面図である。
【００３５】
図に示すように、本発明によるキャリーバッグ１００の第１、第２収納箱体１１２、１１４に備えられた収納空間１１２−１、１１２−２、１１４−１、１１４−２は、前記第１、第２収納箱体１１２、１１４に設けられた区画板１１２−４、１１４−４によって両側に形成される。
【００３６】
図６は、前記第２収納箱体１１４の内部が区画板１１４−４により両側に収納空間１１４−１、１１４−２が形成されていることを示しているが、前記第１収納箱体１１２もやはり、前記収納空間１１２−１、１１２−２が前記第１収納箱体１１２に設けられた区画板１１２−４によって構成されることは同一であり、これに対する詳細構成の表示は省略した。
【００３７】
前記第１、第２収納箱体１１２、１１４にそれぞれ形成された他側の収納空間１１２−２、１１４−２は、前記第１、第２収納箱体１１２、１１４の相互重畳するように対面する状態で結合する際に、相互に合いながらより大きな収納空間を形成し、構成品１２０を収納できるようにする。前記構成品１２０は、前記第１収納箱体１１２に分離して結合された前記第２収納箱体１１４を分離する際に、前記構成品１２０を外部に露出させて、前記構成品１２０に用途に合わせて使用できるようにする。
【００３８】
図に示すように、前記第１、第２収納箱体１１２、１１４の結合と、前記第１、第２収納箱体１１２、１１４と前記第１、第２蓋１１１、１１３との結合は、運搬、移動時に容易に開放されることがないようにするために、一般的なクランプのようなロッキング手段１０７を設けて、分離可能に結合することができる。
【００３９】
前記第１、第２収納箱体１１２、１１４にそれぞれ形成された他側の収納空間１１２−２、１１４−２に収納される前記構成品１２０は、前記第１収納箱体１１２の他側の収納空間１１２−２に設けられた電源部１２４と電気的に連結されるミニＰＣ１２６であり、このミニＰＣ１２６は、後述する図８に示すように、ブルートゥース（登録商標）スピーカー１２６−２を載置できるようにした平板状のＰＣ本体１２６−１と、このＰＣ本体１２６−１の後側から折りたたみや広げが可能なように折り畳み式に設けられたモニター１２６−３と、前記第１収納箱体１１２から出没式に設けられた補助テーブル１１８に置かれるキーボード１２６−４及びマウス（表示せず）とで構成されている。
【００４０】
また、後述する図８に示すように、前記ミニＰＣ１２６にはゲームのためのジョイスティック１２６−５及びゲームボタン１２６−６、カラオケ用無線マイク１２６−７、並びに各種携帯電話を載置して充電できるようにしたマルチ充電器１２６−８が備えられており、また、前記ミニＰＣ１２６には、前記第１収納箱体１１２から分離されるように構成したＡＩスピーカー１２６−９を備えているが、このＡＩスピーカー１２６−９は、本発明によるキャリーバッグ１００を変換する際、前記第１収納箱体１１２に付着されたキャスター１０４を美麗に遮る状態で設けて使用することができる。
【００４１】
図に示すように、前記電源部１２４は、前記第１収納箱体１１２の他側の収納空間１１２−２の外部に露出するように設けられて、外部電源を印加することができるようにした外部コンセント１２４−１と、前記他側の収納空間１１２−２の内部に位置し、前記外部コンセント１２４−１に電気的に連結され、前記ミニＰＣ１２６の各構成物に電源を供給することができるようにする内部コンセント１２４−２とからなっており、前記第１収納箱体１１２の後側壁板１１２−６は、前記電源部１２４の整備のために、開けたての形態で開閉可能に構成することができる。
【００４２】
このような構成を有する本発明の作用一例を前記図面と共に図７及び図８を参照して説明する。
【００４３】
図７は、本考案による図１に表示のキャリーバッグをテーブルに変形させた状態を示す図であり、図８は、本考案による図１に表示のキャリーバッグを図７のテーブルからＴＶ視聴、コンピュータ、ゲーム、あるいはカラオケの形態の様々な娯楽や業務を行うことができる形態に切り換えたことを示す図である。
【００４４】
図に示すように、本発明は、構成の物を自由に収納できる多数個の収納空間１１２−１、１１２−２、１１４−１、１１４−２を有する第１、第２収納箱体１１２、１１４と、第１、第２蓋１１１、１１３を互いに重畳する状態で分離して結合し、移動が便利なキャリーバッグ１００で構成し、ホテル、ワンルーム、レジデンス、又は一般の家族用住宅のように広い、又は狭い室内や、或いは室外のどこでもキャスター１０５や取っ手１０２を使用し、目的地まで自由に運搬移動して使用できる。
【００４５】
＜テーブルに変換時＞
例えば、図７に示すように、本発明によるキャリーバッグ１００を業務又はその他の個人的な仕事でテーブルに変換しようとする際には、前記第１収納箱体１１２から第１蓋１１１を完全に開放して分離した後、前記第１収納箱体１１２から外部に露出する片側の収納空間１１２−１の内部に収容されていた折り畳み式支持脚１０１をヒンジ部１０１−１、１０１−２を支持点として垂直に立設される状態で展開するように回動させて、底部側に支持されるようにすると、前記キャリーバッグ本体１１０を折り畳み式支持脚１０１により水平に位置させる状態で支持されるようにし、業務又は娯楽用のテーブルとして使用できる。
【００４６】
前記キャリーバッグ本体１１０をテーブルとして使用する際に、前記取っ手１０２は、前記第１収納箱体１１２に収納された状態にあるようにすることが好ましい。
【００４７】
前記第２収納箱体１１４に収納された折り畳み式椅子１０３は、前記第２蓋１１３を開放して引き出してから椅子として使用できるが、前記折り畳み式椅子１０３を引き出した後、前記第２蓋１１３は再度前記第２収納箱体１１４に結合してテーブルとして使用するにあたって不便さがないようにすることが好ましい。
【００４８】
＜ミニＰＣとして活用時＞
図７の状態で、前記第２蓋１１３のように前記第２収納箱体１１４を前記第１収納箱体１１２から分離することになると、前記第１、第２収納箱体１１２、１１４の他側の収納空間１１２−２、１１４−２に収納されていた前記構成品１２０を構成するミニＰＣ１２６が、前記第１収納箱体１１２の他側の収納空間１１２−２に収容された状態として、外部に完全露出する状態をなすことになる。
【００４９】
従って、これまで折り畳まれていたモニター１２６−３を前記第１収納箱体１１２の他側の収納空間１１２−２からよく見ることができるように立てて、電源部１２４から電源を印加してオン状態をなすようにした後、前記ＰＣ本体１２６−１と連結されて補助テーブル１１８に置かれるキーボード１２６−４、又は無線マウスを利用すれば、所望の業務を自由に行うことができる。
【００５０】
＜ゲーム機として活用時＞
もし、使用者がゲーム機として活用する際には、前記ミニＰＣ１２６に既に設けられた娯楽ゲームのプログラム又はインターネットゲームに連結し、ジョイスティック１２６−５及び操作ボタン１２６−６を活用しながら、ブルートゥース（登録商標）スピーカー１２６−２の豊かなサウンドを聞き、ゲームを楽しむことができる。
【００５１】
＜カラオケ機器として活用時＞
カラオケ機器として活用する際には、３２インチＵＨＤの前記高画質のモニター１２６−３から出力される映像を見ながら、無線マイク１２６−７を活用して様々な音楽を歌って、既に内蔵されているスピーカー又はブルートゥース（登録商標）スピーカー１２６−２を介して豊かな音量で出力させるか、又はＡＩスピーカー１２６−９を介して音楽を聞くことができる。
【００５２】
＜ＴＶ視聴＞
３２インチＵＨＤの前記高画質のモニター１２６−３からきれいな画質の地上波又はケーブルＴＶを視聴することができる。
【００５３】
その他に、前記ミニＰＣ１２６の前記ＰＣ本体１２６−１に設けられたマルチ充電器１２６−８からは、アイフォーンをはじめとした各種携帯電話及びノートフォンを業務や娯楽をしながら充電できる実用性を提供する。
【００５４】
このように、一つのキャリーバッグに色々の機能を備え、所定の場所で業務又は娯楽用として様々に使用できるようにする有利な利点がある。
【００５５】
このように使用した後に移動する際には、折り畳み式椅子１０４やモニター１２６−３は、再度第１収納箱体１１２の片側の収納空間１１２−１と他側の収納空間１１２−２から畳み込むと共に、前記折り畳み式椅子１０３やＡＩスピーカー１２６−９は、再度第２収納箱体１１４の片側の収納空間１１４−１に安定して収納した後、各第１、第２収納箱体１１２、１１４と第１、第２蓋１１１、１１３を閉じてロッキング手段１０７を結合し、キャリーバッグ１００をなすようにした後、図１に示すように、取っ手１０２を引き出して所望の目的地に移動すればよいという便利性がある。
【図１】
2021532963.tif 000003
【図２ａ】
2021532963.tif 000004
【図２ｂ】
2021532963.tif 000005
【図３】
2021532963.tif 000006
【図４】
2021532963.tif 000007
【図５】
2021532963.tif 000008
【図６】
2021532963.tif 000009
【図７】
2021532963.tif 000010
【図８】
2021532963.tif 000011
【国際調査報告】
2021532963.tif 000012
2021532963.tif 000013
2021532963.tif 000014
2021532963.tif 000015